(57)【特許請求の範囲】
【請求項１】
磁気テープを巻装した単一のリールがカートリッジケース内に回転可能に収容され、かつ前記磁気テープの一端を引き出すためのテープ引出し用開口部を開閉するスライドドアが、バネ部材の付勢力により閉位置に復帰する態様で前記カートリッジケースに設けられている磁気テープカートリッジにおいて、
前記スライドドアの閉位置への復帰に伴って該スライドドアの弾性変形可能な前端部に形成された係合突起に係合してこれを閉位置にロックする係合手段が前記カートリッジケースに設けられているとともに、前記スライドドアの弾性変形可能な前端部に形成した、該スライドドアに対しこれを開方向に押圧する力が作用する作用面が、該押圧力の印加に伴って前記前端部を、前記係合手段によるロックを解除する方向に変位させる力を発生させる斜面で構成されていることを特徴とする磁気テープカートリッジ。
【発明の詳細な説明】
【０００１】
【発明の属する技術分野】
本発明は、磁気テープを巻装した単一のリールがカートリッジケース内に回転可能に収容された磁気テープカートリッジに関し、特に、上記磁気テープの一端を引き出すためのテープ引出用開口部を開閉するスライドドアを備えた磁気テープカートリッジに関するものである。
【０００２】
【従来の技術】
従来、コンピュータ等の外部記憶装置に用いられる記録媒体として使用されている磁気テープカートリッジには、磁気テープを巻装した単一のリールが、上ハーフと下ハーフとからなるほぼ正方形の平面形を有する偏平なカートリッジケース内に回転可能に収容されているものがある。
【０００３】
これらの磁気テープカートリッジは主としてコンピュータメモリのバックアップとして用いられ、その記憶容量も１０ＧＢ程度から１００ＧＢ、さらにはそれ以上のものも実用化に向けて検討が進められている。
【０００４】
従来のこの種の磁気テープカートリッジには、例えば２種類の形式があって、その１つは、不使用時に磁気テープが完全にリールに巻き込まれた状態で、磁気テープの先端部分が、カートリッジケースの一隅に形成されたテープ引出し用開口部を覆うように収容されるリーダーブロックに係止されるように構成されている。
【０００５】
また、他の形式のものは、カートリッジケースの一側壁に形成されたテープ引出し用開口部にカートリッジ平面方向に回動開閉可能なリッドが、閉位置に向かってばね付勢された態様で、かつカートリッジ不使用時には回動しないように、ロック位置にばね付勢されたリッドロックにより閉位置に係止される態様で取り付けられていて、このテープ引出し用開口部内に組み込まれるフックに磁気テープの先端部分が係止されるように構成されたものとがある。
【０００６】
このような構成を有する磁気テープカートリッジが、対応する外部記憶装置の記録再生装置にセットされると、下ハーフの中央部に露呈しているリールの係合歯に装置側の回転駆動手段が係合するとともに、前者の場合には、装置側のテープ引出し機構により上記リーダーブロックがそのまま磁気テープとともに引き出されることによって、また後者の場合には、装置側のテープ引出し機構により先にリッドが開かれてから、上記フックが磁気テープとともに引き出されることによって、磁気テープがテープ走行路の所定位置に引き込まれ、磁気テープへのデータの書込み／読出しが可能になる。
【０００７】
【発明が解決しようとする課題】
ところで、上述した２種類の磁気テープカートリッジのうち、前者のリーダーブロックを用いるものは、テープ引出しに際してリーダーブロックを掴んで引き出すだけでよいから装置側のテープ引出し機構が簡単になる長所はあるものの、カートリッジ不使用時にテープ引出し用開口部とリーダーブロックとの間の隙間からカートリッジ内部に塵埃が侵入しやすいという欠点があった。
【０００８】
一方、後者の開閉リッド形式のものは、カートリッジ内部に塵埃が侵入しやすいという問題は解決されてはいるものの、テープ引出しに際して、先ずリッドロックを解除してからリッドを開かなければならないから、装置側のテープ引出し機構が複雑になるとともに、回動型のリッドの回動スペースを必要とするという問題があった。また、カートリッジ側においても、カートリッジ組立て時において、リッド付勢用のトーションばねおよびリッドロック付勢用のコイルばねの組み込みに工数を要するという問題もあった。
【０００９】
そこで、テープ引出し用開口部を開閉するためのスライドドアを設け、かつこのスライドドアをバネ部材によって閉位置に向かって付勢する構成が提案されている。その場合、テープ引出用開口部の内側には、磁気テープの先端部分をクランプしたリーダーピンが収容されており、この磁気テープカートリッジが対応する外部記憶装置等の記録再生装置に挿入されると、装置側の部材がスライドドアの前端部に当接してスライドドアが開かれ、かつテープ引出し機構によりリーダーピンが磁気テープとともに装置側に引き込まれることによって、磁気テープが装置側にセットされ、磁気テープに対するデータの書込み／読出しが可能になる。
【００１０】
このようなスライドドアを備えた構成においては、このスライドドアを安定に閉位置に保持するためには何等かのロック機構を設けることが好ましいが、ロック機構を設けると、スライドドアの開動作時にロックを解除しなければならないため、構造が複雑になるという問題が発生する。
【００１１】
上述の事情に鑑み、本発明は、スライドドアの開動作時に、外部装置側の部材によるスライドドアの開方向への押圧に伴って、上記ロック機構によるロックを自動的に解除することができる磁気テープカートリッジを提供することを目的とするものである。
【００１２】
【課題を解決するための手段】
本発明は、磁気テープを巻装した単一のリールがカートリッジケース内に回転可能に収容され、磁気テープの一端を引き出すためのテープ引出し用開口部を開閉するスライドドアが、バネ部材の付勢力により閉位置に復帰する態様でカートリッジケースに設けられている磁気テープカートリッジにおいて、
上記バネ部材の付勢力によるスライドドアの閉位置への復帰に伴ってスライドドアの弾性変形可能な前端部に形成された係合突起に係合してこれを閉位置にロックする係合手段がカートリッジケースに設けられているとともに、上記スライドドアの弾性変形可能な前端部に形成した、スライドドアに対しこれを開方向に押圧する力が作用する作用面が、上記押圧力の印加に伴って上記前端部を、上記係合手段によるロックを解除する方向に変位させる力を発生させる斜面で構成されていることを特徴とするものである。
【００１３】
【発明の効果】
本発明によれば、スライドドアがバネ部材の付勢力で閉位置に復帰するのに伴ってスライドドアが自動的に閉位置にロックされ、また、スライドドアを開動作時にスライドドアに作用する押圧力の作用面が斜面で構成されているいることにより、スライドドアに対する押圧力の印加に伴ってスライドドアをロック解除方向に変位させる分力が発生するから、これによって上記ロックが自動的に解除され、極めて簡易な構成によりスライドドアの閉位置でのロックと、スライドドア開閉動作とをスムーズに行なうことができる利点がある。
【００１４】
【発明の実施の形態】
以下、本発明の実施の形態を図面に基づいて詳細に説明する。
【００１５】
図１および図２は、本発明による磁気テープカートリッジの斜視図を示し、図１はそのスライドドアの閉状態を、図２はスライドドアの開状態をそれぞれ示す。
【００１６】
磁気テープカートリッジには、上ハーフ１ａと下ハーフ１ｂとからなるカートリッジケース１内に、磁気テープを巻装した単一のリールが回転可能に収容されている。カートリッジケース１の一側壁には、磁気テープの一端を引き出すためのテープ引出用開口部２が上ハーフ１ａと下ハーフ１ｂとに跨がって、かつコーナー部に近接して形成されているとともに、このテープ引出用開口部２を開閉するスライドドア３が摺動自在に設けられている。スライドドア３は、カートリッジケース１の内部においてスライドドア３の移動通路に介装された図示しないバネ部材によって閉位置に向かって付勢されている。
【００１７】
テープ引出用開口部２の内側の凹部６内には、図２から明らかなように、磁気テープの先端部分をクランプしたリーダーピン４が収容されており、この磁気テープカートリッジが対応する外部記憶装置等の記録再生装置に図２の矢Ａ方向に挿入されると、下ハーフ１ｂの中央部の開口に露呈している図示しないリールの係合歯に装置側の回転駆動手段が係合するとともに、磁気テープカートリッジの外部装置への挿入に伴って、外部装置側の部材がスライドドア３の前端部３ａに当接してスライドドア３がバネ部材の付勢力に抗して開かれ、かつ外部装置側のテープ引出し機構によりリーダーピン４が磁気テープとともに外部装置に引き込まれることによって、磁気テープが外部装置にセットされ、磁気テープに対するデータの書込み／読出しが可能になる。
【００１８】
また、磁気テープカートリッジが外部装置からエジェクトされるときには、スライドドア３を開方向に押圧する力が消滅するから、スライドドア３は上記バネ部材の付勢力により閉位置に復帰する。
【００１９】
リーダーピン４は、上ハーフ１ａの下面および下ハーフ１ｂの上面に開口部２に臨んでそれぞれ形成された凹部６間に着脱自在に係止される。また、カートリッジケース１の一側には、磁気テープの消去および二重書込みを防止するための回動式の操作つまみ５が露出している。
【００２０】
図３は、本発明による磁気テープカートリッジの一実施の形態を示す図で、スライドドア３が閉位置にロックされた状態を示す要部拡大断面図である。また、図４は、図３に示す構成の作用の説明に供する要部拡大断面図である。
【００２１】
リーダピン４は、磁気テープの先端部をクランプする中央軸部の上下端に、外部装置側の部材に係合保持される細軸部４ａを備え、かつ各細軸部４ａの外側に、リーダピン４をカートリッジケース１の凹部６内に保持するためのフランジ４ｂが形成されている。これらフランジ４ｂは、カートリッジケース１の凹部６の近傍に取り付けられた適当なバネ部材（図示は省略）によって凹部６の奥に押し付けられた態様で着脱可能に保持されている。
【００２２】
テープ引出用開口部２を開閉するスライドドア３の前端部３ａには、図３の右上方向に面する斜面７が作用面として形成され、磁気テープカートリッジが外部装置置に図２の矢Ａ方向に挿入されるときに、この斜面７に外部装置側の部材が当接することにより、スライドドア３にこれを図３の左方に押圧する力が作用して、スライドドア３をがバネ部材の付勢力に抗して開かれるようになっている。
【００２３】
また、スライドドア３の前端部３ａの裏面側には、スライドドア３の開方向（図３の左方）に面する垂直面８ａと、この垂直面８ａの先端から斜面７側に向かってなだらかに下降する斜面８ｂとを備えた係合突起８が一体に形成されている。
【００２４】
一方、カートリッジケース１の内壁面１ｃには、スライドドア３が閉位置にあるときに上記係合突起８の垂直面８ａに係合する垂直面９ａを備えて、スライドドア３を閉位置にロックする係合片９が突設されている。
【００２５】
この係合片９の先端は、スライドドア３がその移動通路内に介装された図示しないバネ部材の付勢力で閉位置に復帰するとき、上記係合突起８の斜面８ｂに係合してこの斜面８ｂ上を摺動することにより、スライドドア３の前端部３ａおよび／または係合片９が弾性的に撓められ、スライドドア３の閉位置への移動が許容される。そして、スライドドア３がその閉位置に達すると、スライドドア３の前端部３ａおよび／または係合片９が元の位置に弾性的に復帰して、図３に示すように、スライドドア３が閉位置にロックされる。
【００２６】
次に、磁気テープカートリッジの外部装置への挿入時に、この挿入に伴って、スライドドア３の前端部３ａの斜面７に対し図４の矢Ｂ方向の力が作用すると、スライドドア３の前端部３ａを外側（図４の下方）へ押圧する分力が発生するから、この分力により、スライドドア３の前端部３ａが外側に変位することになり、これによって、係合片９によるスライドドア３のロックが解除され、スライドドア３の開動作が許容される。
【００２７】
以上の説明で明らかなように、本実施の形態においては、スライドドア３がバネ部材の付勢力で閉位置に復帰するのに伴ってスライドドア３が自動的に閉位置にロックされ、また、スライドドア３を開動作時にスライドドア３の前端部３ａに作用する押圧力の作用面が斜面７で構成されているいることにより、スライドドア３に対する押圧力の印加に伴ってスライドドア３の前端部３ａを外側に変位させる分力が発生するから、これによって上記ロックが自動的に解除される。
【００２８】
このように、本実施の形態によれば、極めて簡易な構成により、スライドドア３の閉位置でのロックと、スライドドア３の開閉動作とをスムーズに行なうことができる。
【００２９】
なお、上記係合突起８および係合片９は互いに垂直面８ａ，９ａで係合する態様のみでなく、図５に示すように、少なくとも一方の係合面が斜面８ｃまたは９ｂであってもよく、係合面の双方が斜面８ｃおよび９ｂである場合には、スライドドア３側の斜面８ｃをよりなだらかな斜面としてもよい。また図６に示すように、係合突起８の根元に凹部８ｄを設けて、スライドドア３の前端部３ａがより撓み易くなるようにしてもよい。
【図面の簡単な説明】
【図１】本発明による磁気テープカートリッジを、スライドドアの閉状態で示す斜視図
【図２】図１の磁気テープカートリッジを、スライドドアの開状態で示す斜視図
【図３】本発明による磁気テープカートリッジの一実施の形態を示す要部拡大断面図
【図４】図３の構成の作用の説明に供する要部拡大断面図
【図５】図３の係合突起と係合片との係合面の変形を示す部分断面図
【図６】図３の係合突起の変形を示す部分断面図
【符号の説明】
１    カートリッジケース
１ａ    上ハーフ
１ｂ    下ハーフ
２    テープ引出用開口部
３    スライドドア
４    リーダーピン
７    斜面
８    係合突起
９    係合片
【図１】
0003946854.tif 000002
【図２】
0003946854.tif 000003
【図３】
0003946854.tif 000004
【図４】
0003946854.tif 000005
【図５】
0003946854.tif 000006
【図６】
0003946854.tif 000007